(57)【要約】【課題】  キーの数が少ない電子機器で、異なる種類のテキストが混合した文章や単語を、少ない操作回数で入力する。【解決手段】  数字の１，２，３，４，５，６，７，８，９，０と、平仮名と、英字又は符号とが割り当てられた第１〜第１０の数字キー４１〜５０によってテキストを選択する。テキストを選択した後に、変換キー６３を所定の時間よりも長時間押圧したときには、同じキーに割り当てられている他の選択モードに属するテキストを読み出して表示部６に表示し、選択できる構成とする。また、仮名選択モードや英字選択モードに設定されているときには、同じキーに割り当てられている数字を含む時刻データや日付データを作成し、他の変換候補と共に表示部６に表示し、選択できる構成とする。【選択図】  図４
2005100044.tif 000002
【特許請求の範囲】
【請求項１】
複数の種類のテキストが割り当てられており、割り当てられたテキストを選択する選択キーと、
上記選択キーによって選択されるテキストの種類を示す選択モードを設定する選択モード設定手段と、
上記選択キーによって選択されたテキストを、同一の選択キーに割り当てられた他の選択モードに属するテキストに変換する変換手段と、
上記選択キーによって選択されたテキスト及び上記変換手段によって変換されたテキストを、ユーザによる入力データとして確定する確定手段とを備え、
上記選択モード設定手段によって選択モードが設定された状態で上記選択キーがテキストを選択した後に、上記変換手段が、上記選択キーによって選択されたテキストを他の種類のテキストに変換し、上記確定手段が、上記変換されたテキストを、ユーザによる入力データとして確定すること
を特徴とする入力装置。
【請求項２】
上記選択キーに割り当てられた複数のテキストの中には同じ選択モードに属するテキストが含まれており、上記選択キーは、連続して操作された回数に応じて、上記同じ種類に属するテキストのうち１つを選択することを特徴とする請求項１記載の入力装置。
【請求項３】
上記変換手段は、上記選択モード設定手段によって選択モードが設定されている状態で上記選択キーを連続してｎ（但し、自然数。）回操作したときに選択されたテキストを、上記選択モード設定手段によって他の選択モードに設定されている状態で同一の選択キーをｎ回操作したときに選択されるテキストに変換することを特徴とする請求項２記載の入力装置。
【請求項４】
上記選択キーに割り当てられたテキストには、数字と文字とが含まれることを特徴とする請求項１の入力装置。
【請求項５】
上記選択キーは１つの数字が割り当てられた数字キーであり、上記各数字キーには、それぞれ文字が割り当てられていることを特徴とする請求項４記載の入力装置。
【請求項６】
上記変換手段は、上記選択キーによって選択された文字を、同一の選択キーに割り当てられた数字に変換することを特徴とする請求項５記載の入力装置。
【請求項７】
上記変換手段は、上記選択キーによって選択された文字を、同一の選択キーに割り当てられた数字からなる時刻データ及び／又は日付データに変換することを特徴とする請求項５記載の入力装置。
【請求項８】
上記選択キーによって選択されたテキスト及び上記変換手段によって変換されたテキストを表示する表示手段を備えることを特徴とする請求項１記載の入力装置。
【請求項９】
複数の種類に属するテキストが割り当てられており、割り当てられたテキストを選択する選択キーを備える入力装置の入力方法において、
上記選択キーによって選択されるテキストの種類を示す選択モードを設定する選択モード設定ステップと、
上記選択キーによって、上記選択モード設定ステップで設定された選択モードに属するテキストを選択するテキスト選択ステップと、
上記選択されたテキストを、同一の選択キーに割り当てられた他の選択モードに属するテキストに変換する変換ステップと、
上記変換ステップで変換されたテキストを、ユーザによる入力データとして確定する確定ステップとを備えること
を特徴とする入力方法。
【請求項１０】
上記選択キーに割り当てられた複数のテキストの中には同じ種類に属するテキストが含まれており、上記選択キーは、連続して操作された回数に応じて、上記同じ種類に属するテキストのうち１つを選択することを特徴とする請求項９記載の入力方法。
【請求項１１】
上記変換ステップでは、上記選択モード設定ステップで選択モードが設定されている状態で上記選択キーを連続してｎ（但し、自然数。）回操作したときに選択されたテキストを、上記選択モード設定手段によって他の選択モードに設定されている状態で同一の選択キーをｎ回操作したときに選択されるテキストに変換することを特徴とする請求項１０記載の入力方法。
【請求項１２】
上記選択キーに割り当てられたテキストには、数字と文字とが含まれることを特徴とする請求項９の入力装置。
【請求項１３】
上記選択キーは１つの数字が割り当てられた数字キーであり、上記各数字キーには、それぞれ文字が割り当てられていることを特徴とする請求項１２記載の入力方法。
【請求項１４】
上記変換ステップでは、上記選択ステップで選択された文字を、同一の選択キーに割り当てられた数字に変換することを特徴とする請求項１３記載の入力方法。
【請求項１５】
上記変換ステップでは、上記選択キーによって選択された文字を、同一の選択キーに割り当てられた数字からなる時刻データ及び／又は日付データに変換することを特徴とする請求項１３記載の入力方法。
【請求項１６】
上記選択ステップで選択されたテキスト及び上記変換ステップで変換されたテキストを表示する表示ステップを備えることを特徴とする請求項９記載の入力方法。
【発明の詳細な説明】
【技術分野】
【０００１】
本発明は、入力装置及び入力方法に関し、特に、例えば携帯電話やリモートコントローラなど、データを入力するために備えられたキーの数が少ない電子機器に適用して好適な入力装置及び入力方法に関する。
【背景技術】
【０００２】
近年、携帯電話機では、通話機能のみならず、インターネットプロトコルなどを利用して電子メールの送受信を行う電子メール機能などが付加されている。かかる機能を実現するために、携帯電話機は、数字以外に、仮名文字及び英字などの文字や、符号などのテキストを入力できる構成とする必要がある。
【０００３】
ところが、携帯電話機は、小型であるために多くのキーを搭載することができないために、少ない数のキーによって仮名文字や英字、符号などを入力できる構成とされている。
【０００４】
具体的に説明すると、図５に示すように、携帯電話機１００は、数字、仮名文字、英字、符号など、複数の種類のテキストを入力するためのテンキー１０１を備えている。
【０００５】
テンキー１０１は、第１〜第１０の数字キー１１１〜１２０を備えている。第１〜第１０の数字キー１１１〜１２０には、それぞれ数字の１〜１０や、平仮名、英字、符号など、複数の種類のテキストが割り当てられており、ユーザによって押圧されると、割り当てられたテキストを、ユーザによって入力されるデータの候補として選択する。第１〜第１０の数字キー１１１〜１２０には、１つの数字キーに複数のテキストが割り当てられているが、第１〜第１０の数字キー１１１〜１２０が選択するテキストの種類は、テンキー１０１以外の操作キーによって変わる（例えば、特許文献１参照。）。
【０００６】
携帯電話機１００では、操作キー１３０によって、選択されるテキストの種類を示す選択モードが設定されることにより、第１〜第１０の数字キー１１１〜１２０が選択するテキストの種類が変化する。携帯電話機１００は、平仮名が選択される仮名選択モード、数字が選択される数字選択モード、英字及び符号が選択される英字選択モードを有している。テンキー１０１は、操作キー１３０によって仮名選択モードに設定されているときには割り当てられた平仮名を選択し、操作キー１３０によって数字選択モードに設定されているときには割り当てられた数字を選択し、操作キー１３０によって英字選択モードに設定されているときには割り当てられた英字又は符号を選択する。
【０００７】
しかしながら、文章や単語には、平仮名や、数字、英字、符号など異なる種類のテキストが混合している場合がある。上述したテンキー１０１によって異なる種類のテキストが混合している文章を入力するときには、異なる種類のテキストを選択する毎に操作キー１３０によって選択モードを設定する必要が生じる。
【０００８】
例えば、「明日、１２：３０に待ち合わせ」と入力する場合には、先ず、操作キー１３０によって仮名選択モードに設定した後に「明日、」を入力し、次に、操作キー１３０によって数字選択モードに設定した後に「１２」を入力し、次に、操作キー１３０によって英字選択モードに設定した後に「：」を入力し、次に、操作キー１３０によって数字選択モードに設定した後に「３０」を入力し、最後に、操作キー１３０によって仮名選択モードに設定した後に「に待ち合わせ」を入力する。
【０００９】
すなわち、携帯電話機１００では、異なる種類のテキストが混合している文章を入力するときに、操作キー１３０によって何度も選択モードを設定する必要が生じる。したがって、携帯電話機１００では、文章や単語を入力するときの操作が煩雑となり、ユーザに負担をかけることとなる。
【００１０】
【特許文献１】特開２００２−１７５１４７
【発明の開示】
【発明が解決しようとする課題】
【００１１】
本発明は、以上説明した従来の実状を鑑みて提案されたものであり、複数の種類のテキストが割り当てられている選択キーによって文章や単語を入力するときに、少ない操作で種類が異なるテキストを連続して選択することが可能であり、異なるテキストが混合した文章や単語を少ない操作で簡易に入力することが可能な入力装置及び入力方法を提供することを目的とする。
【課題を解決するための手段】
【００１２】
本発明に係る入力装置は、複数の種類のテキストが割り当てられており、割り当てられたテキストを選択する選択キーと、上記選択キーによって選択されるテキストの種類を示す選択モードを設定する選択モード設定手段と、上記選択キーによって選択されたテキストを、同一の選択キーに割り当てられた他の選択モードに属するテキストに変換する変換手段と、上記選択キーによって選択されたテキスト及び上記変換手段によって変換されたテキストを、ユーザによる入力データとして確定する確定手段とを備え、上記選択モード設定手段によって選択モードが設定された状態で上記選択キーがテキストを選択した後に、上記変換手段が、上記選択キーによって選択されたテキストを他の種類のテキストに変換し、上記確定手段が、上記変換されたテキストを、ユーザによる入力データとして確定することを特徴とする。
【００１３】
また、本発明に係る入力方法は、複数の種類に属するテキストが割り当てられており、割り当てられたテキストを選択する選択キーを備える入力装置の入力方法において、上記選択キーによって選択されるテキストの種類を示す選択モードを設定する選択モード設定ステップと、上記選択キーによって、上記選択モード設定ステップで設定された選択モードに属するテキストを選択するテキスト選択ステップと、上記選択されたテキストを、同一の選択キーに割り当てられた他の選択モードに属するテキストに変換する変換ステップと、上記変換ステップで変換されたテキストを、ユーザによる入力データとして確定する確定ステップとを備えることを特徴とする。
【発明の効果】
【００１４】
本発明に係る入力装置及び入力方法によれば、複数の種類のテキストが割り当てられている選択キーを使用してテキストを入力するときに、異なる種類のテキストを、連続して選択することができる。すなわち、本発明に係る入力装置及び入力方法によれば、異なる種類のテキストが混合した文章や単語を入力するときに、少ない操作回数で入力することが可能となる。
【００１５】
したがって、本発明に係る入力装置及び入力方法によれば、異なる種類のテキストが混合した文章や単語を、煩雑な操作を行うことなく簡易に入力することが可能となるために、文章や単語を入力するときにユーザにかける負担を大幅に軽減することが可能となる。
【発明を実施するための最良の形態】
【００１６】
以下、本発明を実施するための最良の形態について、図面を参照しながら詳細に説明する。
【００１７】
図１に示すように、本発明を適用した携帯電話機１は、装置本体２と、装置本体２の側面に設けられたアンテナ３と、装置本体２の一主面上の一端側に設けられた受話部４と、装置本体２の一主面上の他端側に設けられた送話部５と、装置本体２の一主面上に設けられた表示部６と、装置本体２の一主面上に設けられた操作部７とを備える。
【００１８】
携帯電話機１は、通話機能の他に、インターネットプロトコルなどを利用して電子メールの送受信を行う電子メール機能が備えられている。電子メールを作成するときには、操作部７によって、数字の他に、＠及び：などの符号、並びに文字などのテキストを入力することが可能とされている。なお、本実施の形態では、入力可能なテキストの種類は、数字、平仮名、英字である。
【００１９】
また、携帯電話機１は、仮名選択モードと、数字選択モードと、英字選択モードとを有している。仮名選択モードは、入力されるデータの候補として平仮名を選択するモードであり、また、平仮名を選択した後に後述する変換キーを押圧することによって、選択した平仮名を漢字や片仮名などに変換することもできる。数字選択モードは、入力されるデータの候補として数字を選択するモードである。英字モードは、入力されるデータの候補として英字を選択するモードである。また、携帯電話機１は、英字選択モードのときに、入力されるデータの候補として符号を選択できる構成とされている。
【００２０】
携帯電話機１の内部システム構成は、図２に示す通りとなり、各部を制御するＣＰＵ（Central Processing Unit）１１と、各部を動作させるプログラムが格納されているＲＯＭ（Read Only Memory）１２と、ＣＰＵ１１の作業領域となるＲＡＭ（Random Access Memory）１３と、表示部６及び操作部７に対してＣＰＵ１１、ＲＯＭ１２、ＲＡＭ１３などから供給されたデータを出力したり、操作部７から供給されたデータをＣＰＵ１１、ＲＯＭ１２、ＲＡＭ１３などに供給する入出力インターフェイス１４とを備える。ＣＰＵ１１と、ＲＯＭ１２と、ＲＡＭ１３と、入出力インターフェイス１４とは互いに接続しており、表示部６及び操作部７は入出力インターフェイス１４と接続している。
【００２１】
装置本体２は、本実施の形態では略直方体形状の筐体からなるが、装置本体２の形状は略直方体形状に限定されるものではない。例えば、２つの筐体の相対する一側部がヒンジ機構を介して折り畳み自在に組み合わされた形状とされていても良い。装置本体２がこの形状であるときには、表示部６及び操作部７は、折り畳まれたときに内側となる面に設けられることが好ましい。
【００２２】
アンテナ３は、外部基地（図示せず。）に対して音声データや電子メールデータなどのデータを送信したり、外部基地から送信された音声データや電子メールデータなどのデータを受信する。
【００２３】
受話部４は、アンテナ３によって受信された音声データに基づいた音声を放音する。送話部５は、ユーザが発した音声を電気信号に変換する。送話部５によって生成された電気信号は音声データに変換され、アンテナ３によって送信される。受話部４と送話部５とは、ユーザの耳と口に対応する間隔で設けられている。
【００２４】
表示部６は、操作部７によって選択されたテキストを表示したり、アンテナ３によって受信した画像データに基づいた画像を表示したりする。なお、表示部６は、本実施の形態では、操作部７によって選択されたテキストの変換を行うときには、図３（Ａ），（Ｂ）に示すように、変換前のテキストを表示する第１の領域６ａと、変換候補となるテキストとを表示する第２の領域６ｂとに分けられる。
【００２５】
操作部７は、テキストの入力や、携帯電話機１の動作の設定などを行うキーが設けられている。操作部７は、５個のキーからなるカーソル移動キー群２１と、１列に並んだ３個のキー４列に相当する１２個のキーからなるテンキー２２と、１列に並んだ３個のキーからなる操作キー群２３とを備える。
【００２６】
カーソル移動キー群２１は、確定キー３１と、確定キー３１の右側に配置された第１のカーソル移動キー３２と、確定キー３１の左側に配置された第２のカーソル移動キー３３と、確定キー３１の上側に配置された第３のカーソル移動キー３４と、確定キー３１の下側に配置された第４のカーソル移動キー３５とを備える。
【００２７】
確定キー３１は、後述するテンキー２２によって選択されるテキストや、後述するように変換キー６３によって変換されたテキストなどを、ユーザによる入力データとして確定する。第１のカーソル移動キー３２は表示部６に表示されるカーソルを右側に移動させ、第２のカーソル移動キー３３は表示部６に表示されるカーソルを左側に移動させ、第３のカーソル移動キー３４は表示部６に表示されるカーソルを上側に移動させ、第４のカーソル移動キー３５は表示部６に表示されるカーソルを下側に移動させる。
【００２８】
テンキー２２は、複数の種類のテキストが割り当てられた第１〜第１２の数字キー４１〜５２を備えており、設定されている選択モードに応じて、割り当てられているテキストを選択する。本実施の形態では、第１〜第１０の数字キー４１〜５０には、それぞれ数字の１〜０と、平仮名と、符号又は英字とが割り当てられている。また、第１１の数字キー５１には、濁音符、半濁音符、句点、読点が割り当てられており、仮名選択モードのときに選択される。また、第１２の数字キー５２には、改行が割り当てられており、全ての選択モードのときに選択される。
【００２９】
具体的に説明すると、本実施の形態では、第１の数字キー４１には、数字の１、あ行の平仮名、あ行の小文字の平仮名、符号が割り当てられており、符号は英字選択モードのときに選択される。また、第２の数字キー４２には、数字の２、か行及びが行の平仮名、英字のＡＢＣが割り当てられている。また、第３の数字キー４３には、数字の３、さ行及びざ行の平仮名、英字のＤＥＦが割り当てられている。また、第４の数字キー４４には、数字の４、た行及びだ行の平仮名、英字のＧＨＩが割り当てられている。また、第５の数字キー４５には、数字の５、な行の平仮名、英字のＪＫＬが割り当てられている。また、第６の数字キー４６には、数字の６、は行及びば行及びぱ行の平仮名、英字のＭＮＯが割り当てられている。また、第７の数字キー４７には、数字の７、ま行の平仮名、英字のＰＱＲＳが割り当てられている。また、第８の数字キー４８には、数字の８、や行の平仮名、や行の小文字の平仮名、英字のＴＵＶが割り当てられている。また、第９の数字キー４９には、数字の９、ら行の平仮名、英字のＷＸＹＺが割り当てられている。また、第１０の数字キー５０には、数字の０、ひらがなの「わ」「を」「ん」が割り当てられている。
【００３０】
なお、仮名選択モード及び英字選択モードのときには、第１〜第１０の数字キー４１〜５０が選択するテキストは、押圧される回数によって変化する。例えば、第２の数字キー４２は、仮名選択モードのときには、１回押圧されることにより「か」を選択し、以後、押圧される回数が１回増える毎に、「き」「く」「け」「こ」「が」「ぎ」「ぐ」「げ」「ご」を選択する。また、英字選択モードのときには、１回押圧されることにより「Ａ」を選択し、以後、押圧される回数が１回増える毎に、「Ｂ」「Ｃ」「ａ」「ｂ」「ｃ」を選択する。
【００３１】
操作キー群２３は、クリアキー６１と、選択モード設定キー６２と、変換キー６３とを備える。
【００３２】
クリアキー６１は、選択又は確定されたテキストの消去を行う。
【００３３】
選択モード設定キー６２は、第１〜第１０の数字キー４１〜５０によって選択可能となるテキストの種類を特定する選択モードを設定する。本実施の形態では、仮名選択モード、数字選択モード、英字選択モードを設定する。選択モード設定キー６２によって仮名選択モードに設定されたときには、第１〜第１０の数字キー４１〜５０を押圧したときに平仮名が選択される。また、数字選択モードに設定されたときには、第１〜第１０の数字キー４１〜５０を押圧したときに数字が選択される。また、英字選択モードに設定されたときには、第１の数字キー４１を押圧したときに符号が選択され、第２〜第９の数字キー４２〜４９を押圧したときに英字が選択される。
【００３４】
変換キー６３は、仮名選択モードのときに第１〜第１０の数字キー４１〜５０によって選択された平仮名を、漢字や片仮名などに変換（以下、通常変換という。）すること、並びに、第１〜第１０の数字キー４１〜５０によって選択されたテキストを、同じキーに割り当てられた他の種類のテキスト、すなわち、同じキーに割り当てられた他の選択モードに属するテキストに変換（以下、別モード変換という。）することを行う。また、仮名選択モード及び英字選択モードに設定された状態で第１〜第１０の数字キー４１〜５０によってテキストが選択されて、別モード変換が行われるときには、選択されたテキストを、同じキーに割り当てられた数字からなる時刻又は日付にも変更する。
【００３５】
本実施の形態では、変換キー６３は、所定の時間より短い時間押圧（以下、通常通り押圧という。）されたときに通常変換を行い、所定の時間より長い時間押圧（以下、長押しという。）されたときに別モード変換を行う。
【００３６】
例えば、仮名選択モードで、第１の数字キー４１を１回、第２の数字キー４２を１回、第３の数字キー４３を１回、第１０の数字キー５０を１回押圧すると、「あかさわ」が選択され、表示部６に表示される。次に、ユーザが、変換キー６３を通常通り押圧すると通常変換が行われ、表示部６には、図３（Ａ）に示すように、通常変換の候補である「あかさわ」、「赤沢」、「アカサワ」などが表示される。そして、ユーザが、第１〜第４のカーソル移動キー３２〜３５を使用してカーソルを移動させて変換の候補のうち１つに相当する位置にカーソルを合わせ、確定キー３１を押圧することで、所望のテキストが入力データとして確定する。
【００３７】
また、第１の数字キー４１には１と符号も割り当てられており、第２の数字キー４２には２、Ａ、Ｂ、Ｃも割り当てられており、第３の数字キー４３には３、Ｄ、Ｅ、Ｆも割り当てられており、第４の数字キー４４には０も割り当てられている。したがって、表示部６に「あかさわ」と表示された状態で変換キー６３を長押しすると別モード変換が行われ、表示部６には、同じキーに割り当てられた他の選択モードに属するテキストに基づいて生成された別モード変換の候補が表示される。例えば、図３（Ｂ）に示すように、「1230」、「12:30」、「12月30日」、「＠ａｄ」などが表示される。そして、ユーザが、第１〜第４のカーソル移動キー３２〜３５を使用してカーソルを移動させて変換候補のうち１つの位置にカーソルを合わせ、確定キー３１を押圧することで、所望の変換が行われる。
【００３８】
なお、変換キー６３は、ある選択モードに設定された状態で第１〜第１０の数字キー４１〜５０のうち１つをｎ（但し、ｎは２以上の整数。）回押圧した後に長押しされると、他の選択モードに設定された状態で同一の数字キーをｎ回押圧したときに選択されるテキストに変換できる構成とすることが好ましい。例えば、平仮名選択モードで第２の数字キー４２を３回押圧して表示部６に「く」が表示された後に変換キー６３を長押しすることによって、「Ｃ」に変換することができる構成とすることが好ましい。
【００３９】
つぎに、テキストを入力するときの携帯電話機１の動作について、図４に示すフローチャートを参照しながら説明する。
【００４０】
まず、ステップＳＴ１でユーザが操作部７を操作すると、ステップＳＴ２において、ステップＳＴ１で操作されたキーがＲＡＭ１３に記録される。
【００４１】
次に、ステップＳＴ３において、ＣＰＵ１１が、ステップＳＴ１で操作されたキーを判断する。また、操作されたキーが変換キー６３であると判断されたときには通常通り押圧されたか或いは長押しされたかを判断する。操作されたキーが第１の数字キー４１〜第１０の数字キー５０であると判断したときにはステップＳＴ４に進み、変換キー６３が通常通り押圧されたと判断したときにはステップＳＴ５に進み、変換キー６３が長押しされたと判断したときにはステップＳＴ６に進む。
【００４２】
次に、ステップＳＴ４では、ＣＰＵ１１は、操作された数字キーに割り付けられており設定されている選択モードに対応したテキストを表示部６に表示させて、ステップＳＴ１に戻る。
【００４３】
また、ステップＳＴ５では、ＣＰＵ１１は、表示部６に表示されており確定していないテキストを通常変換し、変換候補を生成して、表示部６に表示させる。
【００４４】
また、ステップＳＴ６では、ＣＰＵ１１は、確定していないテキストが割り付けられている数字キーに割り付けられている、他の選択モードに属するテキストを読み出す。
【００４５】
そして、ステップＳＴ７では、ＣＰＵ１１は、読み出されたテキストに数字が含まれているときには、含まれている数字からなる時刻データ及び日付データを生成し、生成した時刻データ及び日付データを、ステップＳＴ６で読み出されたテキストと共に、変換候補として表示部６に表示する。すなわち、仮名選択モード又は英字選択モードのときには、押圧した数字キーに割り付けられた数字からなる時刻データ及び日付データを生成して、変換候補として表示部６に表示する。
【００４６】
ステップＳＴ７では、ＣＰＵ１１は、ステップＳＴ６で読み出された数字によって時刻データや日付データを作成したときに、作成されたデータが不自然となるか否かを判断し、不自然となった時刻データや日付データは変換候補としないように制御することが好ましい。例えば、「１、３、３、０」が読み出されたときには、１３月３０日という日付データが作成されるが、このようなデータは変換候補としないように制御する。
【００４７】
なお、本実施の形態に係る携帯電話機１は、平仮名選択モード以外の選択モードのときに、第１〜第１０の数字キー４１〜５０によって選択されたテキストを、同じ数字キーに割り当てられた他の選択モードに属するのテキストに変換できる構成とすることが好ましい。例えば、数字選択モードで「１，２，３，０」と選択し、変換キー６３を長押しすることで、「あかさわ」と変換できるようにすることが好ましい。
【００４８】
以上説明したように、本発明を適用した携帯電話機１では、テンキー２２によってテキストを入力するときに、設定されている選択モードと異なる選択モードに属するテキストを、選択モード切替キー６２による選択モードの切り替えを行うことなく、選択することが可能である。したがって、携帯電話機１では、異なる種類のテキストが混合した文章を入力するときに、選択モード切替キー６２を操作する必要がなくなるために、少ない操作回数で入力することが可能となり、ユーザの負担を軽減することが可能となる。特に、時刻や日付を入力するときには、「：」、「時」、「分」、「月」、「日」などの符号や文字を入力するために選択モードを切り替える必要がなくなり、煩雑さを大幅に削減することが可能となる。
【００４９】
なお、携帯電話機１は、一度確定されたテキストを選択して再度変換することが可能であり（以下、再変換という。）、再変換するときにも、選択したテキストを他の選択モードに属するテキストに変換することが可能な構成とすることが好ましい。このような構成とすることにより、再変換するときにも、選択モードを切り替えることなく、選択したテキストを他の選択モードに属するテキストに変換することが可能となり、文章や単語を入力するときの煩雑さを低減することが可能となる。
【００５０】
また、携帯電話機１では、変換キー６３を通常通り押圧したときに通常変換し、変換キー６３を長押ししたときに別モード変換する構成としたが、他の方法によって通常変換と別モード変換とを区別する構成としても良い。例えば、変換キー６３を１回押圧したときに通常変換し、２回押圧したときに別モード変換する構成としても良いし、また、通常変換用の変換キーと別モード変換用の変換キーとを備える構成としても良い。
【００５１】
また、携帯電話機１は、選択モードの切り替えをしなくても、全ての種類のテキストを入力することができる。したがって、携帯電話機１は、選択モード切替キー６２を備えない構成とすることもできる。このような構成とすることにより、携帯電話機１に設けるキーの数を少なくし、携帯電話機１を簡易な構成とすることが可能となる。
【００５２】
なお、本発明は、例えばリモートコントローラなど、携帯電話機以外の電子機器に適用することもできる。
【図面の簡単な説明】
【００５３】
【図１】本発明を適用した携帯電話機の外観を示す図である。
【図２】同携帯電話機のブロック構成図である。
【図３】同携帯電話機でテキストを選択して変換したときに、表示部に表示された変換候補を示す図である。
【図４】同携帯電話機においてテキストを入力するときの動作を示すフローチャートである。
【図５】従来の携帯電話機に備えられているテンキーを示す図である。
【符号の説明】
【００５４】
１  携帯電話機、２  装置本体、３  アンテナ、４  受話部、５  送話部、６  表示部、７  操作部、１１  ＣＰＵ、１２  ＲＯＭ、１３  ＲＡＭ、１４  入出力インターフェイス、２１  カーソル移動キー群、２２  テンキー、２３  操作キー群、３１  確定キー、３２  第１のカーソル移動キー、３３  第２のカーソル移動キー、３４  第３のカーソル移動キー、３５  第４のカーソル移動キー、４１〜５２  第１〜第１２の数字キー、６１  クリアキー、６２  選択モード切替キー、６３  変換キー
【図１】
2005100044.tif 000003
【図２】
2005100044.tif 000004
【図３】
2005100044.tif 000005
【図４】
2005100044.tif 000006
【図５】
2005100044.tif 000007